(57)【特許請求の範囲】
【請求項１】
長尺な包材を充填チューブの周りで筒状に成形しながら長手方向に繰り出し、この繰り出し過程にて、包材の合わせ目を縦シールして包材筒を形成するとともに、前記充填チューブの下方で横シーラの開閉動作により前記包材筒の横シールおよびその切断と前記充填チューブから前記包材筒内への被包装品の充填とを交互に行う製袋充填機において、
前記横シーラを開閉させる駆動手段と、
前記横シーラの開閉動作に伴い、その開閉ストローク中における位置情報を検出する位置検出手段と、
前記駆動手段により前記横シーラを閉じさせるとき、前記包材筒に与えるシール圧を時間の経過とともに２段階に変化させ、先の第１段階目のシール圧を被包装物の物性に応じて設定される検出用シール圧とし、後の第２段階目のシール圧を溶着用シール圧として横シールを行わせるシール圧調整手段と、
前記シール圧の変化に伴う前記位置情報の変化に基づき、前記横シーラによる被包装品の噛み込みの有無を検出する噛み込み検出手段と
を具備したことを特徴とする製袋充填機における横シーラの噛み込み検出装置。
【請求項２】
前記物性が被包装品の破砕強度により与えられており、
前記シール圧調整手段は被包装品の破砕強度に応じて前記検出用シール圧を前記溶着用シール圧よりも弱く設定することを特徴とする請求項１に記載の製袋充填機における横シーラの噛み込み検出装置。
【請求項３】
前記物性が被包装品の破砕強度により与えられており、
前記シール圧調整手段は被包装品の破砕強度に応じて前記検出用シール圧を前記溶着用シール圧よりも強く設定することを特徴とする請求項１に記載の製袋充填機における横シーラの噛み込み検出装置。
【請求項４】
前記駆動手段は所定の位置指令パルスに基づいて駆動されるサーボモータを含み、
前記位置検出手段は前記サーボモータの回転角位置を表す帰還パルスを出力するエンコーダを含み、かつ、前記帰還パルスに基づいて前記位置情報を検出することを特徴とする請求項１から３のいずれかに記載の製袋充填機における横シーラの噛み込み検出装置。
【請求項５】
前記駆動手段は所定の位置指令パルスに基づいて駆動されるサーボモータを含み、
前記位置検出手段は前記サーボモータの回転角位置を表す帰還パルスを出力するエンコーダを含み、かつ、前記帰還パルスに基づいて前記位置情報を検出し、
前記噛み込み検出手段は、前記横シーラが閉位置にある間に入力された前記帰還パルスの総数に基づき前記噛み込みの有無を検出することを特徴とする請求項１に記載の製袋充填機における横シーラの噛み込み検出装置。
【請求項６】
長尺な包材を充填チューブの周りで筒状に成形しながら長手方向に繰り出し、この繰り出し過程にて、包材の合わせ目を縦シールして包材筒を形成するとともに、前記充填チューブの下方で横シーラの開閉動作により前記包材筒の横シールおよびその切断と前記充填チューブから前記包材筒内への被包装品の充填とを交互に行う製袋充填機において、
前記横シーラの開閉ストローク中における位置情報を検出しながら、前記横シーラの閉動作時に前記包材筒に与えるシール圧を時間の経過とともに２段階的に変化させ、先の第１段階目のシール圧を被包装物の物性に応じて設定される検出用シール圧とし、後の第２段階目のシール圧を溶着用シール圧として横シールを行わせることで、このシール圧の変化に伴う前記位置情報の変化に基づき、前記横シーラによる被包装品の噛み込みの有無を検出することを特徴とする製袋充填機における横シーラの噛み込み検出方法。
【発明の詳細な説明】
【０００１】
【発明の属する技術分野】
本発明は製袋充填機に係わり、特にその横シーラによる被包装品の噛み込みの有無を検出する噛み込み検出装置および噛み込み検出方法に関する。
【０００２】
【従来の技術】
横シーラの噛み込み検出に関する技術は、例えば特開平７−１８７１５３号公報および特開２００１−４８１３０号公報等に記載されている。これら従来技術は、包材筒の横シール時に生じる夾雑物からの反発力を利用して噛み込みの有無を検出するものである。
【０００３】
このうち前者の技術は、被包装物が無い状態で横シールしたときの横シーラの位置を記憶しておき、この位置と夾雑物によりシーラ駆動手段に負荷トルクが発生したときの横シーラの位置とを比較して夾雑物の有無を検出する。一方、後者の技術は、夾雑物の反発力により生じるシール駆動手段の遅れからその有無を検出する。
【０００４】
【発明が解決しようとする課題】
しかしながら、被包装品である夾雑物には横シーラの噛み込みにより容易に破砕されるものがある。このため横シール時に夾雑物が早々に破砕されてしまえば、もはやその反発力は生じない。あるいは破砕されにくい夾雑物であっても、横シール時に包材は溶融するため、その溶融層に夾雑物が早々に埋もれてしまうと同じくその反発力は生じない。
【０００５】
上述した従来技術では夾雑物からの反発力を利用して噛み込みを検出しているため、夾雑物の破砕や包材への埋没によりその反発力が生じない場合は検出ができなくなるという問題がある。このような問題は、特に微小な夾雑物の場合に顕著であり、夾雑物が微小である場合は横シーラへの反発力がほとんど生じないため噛み込み検出が極めて困難となる。
【０００６】
そこで本発明は、夾雑物が微小であったり、あるいは横シール時に破砕されたり、包材に埋没したりしやすい場合であっても、確実にその噛み込みの有無を検出することができる製袋充填機における横シーラの噛み込み検出装置およびその噛み込み検出方法の提供を課題とする。
【０００７】
【課題を解決するための手段】
本発明の噛み込み検出装置（請求項１）は、横シーラの開閉動作に伴い、その開閉ストローク中における位置情報を検出する位置検出手段と、横シーラのシール圧を時間の経過とともに段階的に変化させるシール圧調整手段と、このシール圧の変化に伴う横シーラの位置情報の変化に基づき、横シーラによる被包装品の噛み込みの有無を検出する噛み込み検出手段とを備えている。
【０００８】
シール圧を段階的に変化させることで、夾雑物が有る場合と無い場合とでシール中の横シーラの位置に顕著な変化が現れる。この特性を利用して、噛み込み検出手段は噛み込みの有無を検出することができる。このため、例えば破砕され易い夾雑物や包材の溶融層に埋もれるような夾雑物、あるいは微小な夾雑物であっても、その破砕や埋没等の変化を生じる前の段階で噛み込みの有無を確実に検出することができる。
【０００９】
更に、請求項１の場合、シール圧調整手段はシール圧を時間の経過とともに２段階に変化させ、先の第１段階目のシール圧を被包装物の物性に応じて設定される検出用シール圧とし、後の第２段階目のシール圧を溶着用シール圧として横シールを行う。この場合、被包装物の物性に応じて検出用シール圧を適切に設定することで夾雑物の破砕や包材への埋没等を抑えることができる。
【００１０】
より具体的には、被包装品の物性がその破砕強度により与えられており、シール圧調整手段は被包装品の破砕強度に応じて検出用シール圧を溶着用シール圧よりも弱く設定したり（請求項２）、あるいは被包装品の破砕強度に応じて検出用シール圧を溶着用シール圧よりも強く設定したりする（請求項３）。例えば、被包装品の破砕強度が比較的低いものである場合、弱い検出用シール圧を与えることで夾雑物の破砕を防止する。一方、被包装品の破砕強度が比較的高い場合、溶融の前に強い検出用シール圧を与えて夾雑物が包材の溶融層に埋もれないようにその噛み込みを検出する。これら噛み込み検出手法は夾雑物が微小である場合に特に有効である。
【００１１】
本発明の噛み込み検出装置（請求項４）は、より実用的な構成をとることができる。具体的には、横シーラを開閉作動させる駆動手段は所定の位置指令パルスに基づいて駆動されるサーボモータを含む。また位置検出手段はサーボモータの回転角位置を表す帰還パルスを出力するエンコーダを含み、その帰還パルスに基づいて位置情報を検出する。
【００１２】
この場合、横シール中は夾雑物の有無により位置情報に違いが現れるので、噛み込み検出手段は位置情報の違いを利用して噛み込みの有無を検出することができる。
あるいは、噛み込み検出手段は横シーラが閉位置にある間に入力された帰還パルスの総数に基づき噛み込みの有無を検出することもできる（請求項５）。この場合、夾雑物の物性により、瞬間的に位置情報に違いが現れにくいものであっても、シール期間内に噛み込みの有無による位置情報の差が累積されて顕著に現れるため、その累積された差を利用して噛み込みを検出することができる。
【００１３】
上述した噛み込み検出装置を用いて実施される噛み込み検出方法（請求項６）は、横シーラの開閉ストローク中における位置情報を検出しながら、横シーラの閉動作時に包材筒に与えるシール圧を時間の経過とともに２段階的に変化させ、先の第１段階目のシール圧を被包装物の物性に応じて設定される検出用シール圧とし、後の第２段階目のシール圧を溶着用シール圧として横シールを行わせることで、このシール圧の変化に伴う位置情報の変化に基づき、横シーラによる被包装品の噛み込みの有無を検出するものとなる。
【００１４】
【発明の実施の形態】
本発明は例えば、粉粒体やスナック菓子等の食品類を縦ピロー包装する縦型製袋充填機に適用することができる。ただし、本発明の用途が特定の製袋充填機に限定されるものではなく、また、被包装品が粉粒体または食品類に限定されるものでもない。
【００１５】
図１は、本発明の一実施形態に係る縦型製袋充填機を概略的に示している。縦型製袋充填機は鉛直に延びる充填チューブ２を備えており、この充填チューブ２の上部にはフォーマ６が設けられている。
被包装品が粉粒体である場合、充填チューブ２内にはオーガスクリューが回転可能に収容されており、充填チューブ２の上端は粉粒体の供給を受けるホッパ（いずれも図示されていない）に接続されている。あるいは、被包装品がスナック菓子等の固形物である場合、充填チューブ２の内部は中空であり、その上端は供給ホッパおよび計量器（いずれも図示されていない）に接続されている。
【００１６】
また縦型製袋充填機はフィルムロールＦＲを備えており、このフィルムロールＦＲから長尺なフィルム包材Ｆが引き出されている。フィルム包材ＦはフィルムロールＦＲから多数のガイドローラを介して充填チューブ２まで導かれ、そしてフィルム包材Ｆはフォーマ６に案内されて充填チューブ２の周りに円筒状に成形され、両側縁が互いに重ね合わせられた状態で下方に引き出されている。
【００１７】
フィルム包材Ｆの繰り出しに関して詳述すると、フィルム包材ＦはそのフィルムロールＦＲから充填チューブ２に向けて繰り出されている。繰り出し経路の途中にフィードローラ１０が配置されており、フィルム包材Ｆはフィードローラ１０の回転に伴い繰り出し経路に沿って繰り出される。
一方、充填チューブ２の両側には一対のフィードユニット１２が配置されている。各フィードユニット１２は無端状のサクションベルト１４を有しており、このサクションベルト１４は充填チューブ２に沿って延び、図示しないサーボモータ（図示しない）により一方向に走行可能である。なお図１には、一方のフィードユニット１２のみが示されている。
【００１８】
一対のフィードユニット１２間には縦シーラ１６が配置されている。縦シーラ１６は一対のヒータブロック１８を有し、これらヒータブロック１８は充填チューブ２に沿って上下方向に延びている。一対のヒータブロック１８の間をフィルム包材Ｆが通過する際、その両側縁の合わせ目は相互に縦シール、つまり、ヒートシールされて所定の形態（例えば合掌張りの形態）で接着される。これによりフィルム包材Ｆは充填チューブ２の周りで包材筒Ｗとなる。
【００１９】
一方、充填チューブ２の下方には横シーラ２０が配置されている。横シーラ２０は一対のヒータブロック２２を備えており、横シーラ２０はその開閉動作に伴い、一対のヒータブロック２２を互いに接離させることができる。連続型の製袋充填機の場合、横シーラ２０は開閉動作の他に昇降動作をも伴い、それゆえ図中に２点鎖線で示されるように、横シーラ２０は開閉および昇降の動作が合わさったボックスモーションを行う。なお間欠型の製袋充填機では、横シーラ２０は開閉動作のみを行う。
【００２０】
図２は、横シーラ２０の駆動機構とその制御システムを概略的に示している。一対のヒータブロック２２は一対ずつのリンクロッド２４，２６を介して揺動レバー２８の両端にそれぞれ連結されている。揺動レバー２８のレバー軸３０はサーボモータ３２の出力軸に連結されている。したがって、サーボモータ３２はその正逆回転により、揺動レバー２８を所定の揺動角域にて揺動させ、この揺動に伴い、リンクロッド２４，２６を介してヒータブロック２２が互いに接離する。つまり、横シーラ２０はサーボモータ３２の正逆回転により、充填チューブ２の下方へ送出された包材筒Ｗに対して開閉される。
【００２１】
横シーラ２０が閉位置にあるとき、その一対のヒータブロック２２は包材筒Ｗを挟み付け、包材筒Ｗをその横断方向にヒートシール、つまり、横シールする。また、一方のヒータブロック２２にはカッタブレード（図示しない）が内蔵されており、このカッタブレードは横シールの完了後、一方のヒータブロック２２から突出し、包材筒Ｗを切断する。なお、突出したカッタブレードは他方のヒータブロック２２に形成した逃げ溝内に進入する。
【００２２】
横シーラ２０による包材筒Ｗの横シールおよび切断は、充填チューブ２から包材筒Ｗ内への被包装品の投入と交互に実施される。これにより、個々に被包装品の充填を受けた包装袋Ｂが製造されて落下する。被包装品が粉粒体の場合、オーガスクリューの回転により充填チューブ２の下端から一定量の粉粒体が包材筒Ｗ内に投入される。被包装品がスナック菓子等の固形物の場合、上述した計量器により一定量の固形物が供給ホッパ内に投下され、さらに被包装品は充填チューブ２を通じて包装筒Ｗ内に投入される。
【００２３】
この後、包装袋Ｂはシュートを介して移送コンベア上に供給され、後段の箱詰め機に向けて移送される。
上述したフィードユニット１２による包材筒Ｗの送出や粉粒体の充填動作と連動して、横シーラ２０の開閉作動を制御するため、サーボモータ３２はサーボアンプ３６を介して制御装置３８に接続されており、さらにサーボモータ３２が内蔵するロータリエンコーダ３４もまた制御装置３８に接続されている。
【００２４】
制御装置３８はＣＰＵ４０をはじめとした各種の電子回路を備えたハードウェアからなり、具体的にはタイミング監視部４２や操作部４４、計算部４６、異常出力部４８が内蔵されている。また制御装置３８には制御プログラムやデータ保存のためのＲＯＭ５０やＲＡＭ５２、設定記憶部５４等の記憶回路が内蔵されている。その他、制御装置３８には演算処理を行う噛み込み判断部５６、外部との情報のやりとりをする入力インタフェース５８および出力インタフェース６０が内蔵されている。
【００２５】
制御装置３８は出力インタフェース６０を通じてサーボアンプ３６に指令パルスを送信し、サーボアンプ３６は指令パルスに従ってサーボモータ３２を作動させる。一方、ロータリエンコーダ３４はサーボモータ３２の実回転角位置、つまり、揺動レバー２８の実揺動角に対応した位置検出信号を制御装置３８に供給する。位置検出信号は、例えば帰還パルスの形式で出力され、入力インタフェース５８を通じて制御装置３８に送信される。
【００２６】
また制御装置３８は、横シーラ２０の原点位置（開位置）を自動設定する機能をも備えている。この機能を達成するため、制御装置３８の入力インタフェース５８に原点検出器６２が接続されている。
上述のハードウェア構成を有した制御装置３８は、所定の制御プログラムを実行することにより横シーラ２０の開閉作動を具体的に制御することができる。また本制御プログラムにおいては横シーラ２０の開閉タイミングだけでなく、その閉位置において包材筒Ｗに与えるシール圧の調整も達成される。
【００２７】
さらに本制御プログラムにおいては、横シーラ２０による被包装品の噛み込みの有無を検出する機能をも有しており、以下、その制御プログラムの一例を説明する。
図３から図５は、制御プログラムの一例として挙げられる制御フローを示している。また図６および図７は、本制御プログラムの実行に伴う各種変数（Ａ〜Ｇ）の時間的変化を示している。これら図６および図７において、製袋充填機の１包装サイクルをＴとすると、１包装サイクル時間Ｔ内で各種変数（Ａ〜Ｇ）は所定のパターンで変化する。
【００２８】
本制御プログラムでは、横シーラ２０の開閉動作を二つの制御手法に分けて行うことができる。先ず一つ目が速度制御であり、これは横シーラ２０の開閉速度を目標値として指令パルスを演算し、その指令をサーボアンプ３６に出力することでサーボモータ３２の動作を制御するものである。
二つ目はトルク制御であり、これは横シーラ２０が閉位置にあるときに包材筒Ｗに与えるシール圧を目標値として指令パルスを演算し、その指令をサーボアンプ３６に出力することでサーボモータ３２の動作を制御するものである。
【００２９】
これら二つの制御の切り換えは、横シーラ２０が開動作期間Ｔ3にあるか否かによって行われる（ステップＳ１）。このため制御装置３８は、タイミング監視部４２において横シーラ２０の動作を常に監視している。図６および図７中、開動作期間Ｔ3は１包装サイクル中に横シーラ２０が閉位置から開位置までの移動する期間として規定される。
【００３０】
横シーラ２０の開閉動作が開動作期間Ｔ3内にある場合（ステップＳ１＝Ｙｅｓ）、制御プログラムにおいて速度制御が選択される（ステップＳ１３）。この場合、制御装置３８はロータリエンコーダ３４からの帰還パルスに基づいて演算処理を行い、横シーラ２０の位置を検出する（ステップＳ１４）。また制御装置３８は、速度指令値（位置指令パルス）をサーボアンプ３６に出力する（ステップＳ１５）。この結果、サーボモータ３２の動作は横シーラ２０に目標速度を与えるべく制御される。
【００３１】
横シーラ２０の開閉動作が開動作期間Ｔ3内にない場合（ステップＳ１＝Ｎｏ）、制御装置３８は横シーラ２０の位置を検出しながら（ステップＳ２）、制御切換タイミングを判定する（ステップＳ３）。制御切換タイミングは、速度制御からトルク制御への切り換えを行うべきタイミングを意味しており、このタイミングの到来は横シーラ２０の位置によって判断される。
【００３２】
図６および図７中、横シーラ２０が開位置から閉位置に到達する直前に制御切換タイミングＴｃが設定されている。この制御切換タイミングＴｃでは、サーボモータ３２が速度制御から回転トルク制御に切り換えられる。具体的には、次のいずれかのタイミングをもって制御切換タイミングＴｃとする。その第１は、図６および図７中、サーボモータ３２の回転速度モデルにおいて、回転速度が最大速度の一定割合（例えば２０％）以下まで減速した時点を制御切換タイミングＴｃとするものである。第２は、ロータリエンコーダ３４から出力される帰還パルスに基づき、横シーラ２０が閉位置の直前に到達した時点をもって制御切換タイミングＴｃとする。
【００３３】
制御切換タイミングＴｃが到来する前（ステップＳ３＝Ｎｏ）は、制御装置３８は速度制御を継続し（ステップＳ４）、サーボアンプ３６に対して速度指令値を出力する（ステップＳ５）。なお、ステップＳ４の前に噛み込み検出ルーチンＲ２が設けられているが、ここでの処理については後述する。
これに対し、制御切換タイミングＴｃが到来すると（ステップＳ３＝Ｙｅｓ）、制御装置３８は制御手法を速度制御から回転トルク制御に切り換える（ステップＳ６）。
【００３４】
図６および図７に示されるように、トルク制御への切り換え後、所定時間内に回転トルクの上昇区間Ｔ4が設けられている。この上昇区間Ｔ4では、回転トルクの理論値がサーボアンプ３６に対して指令される。回転トルクの理論値は横シール位置の変動がないものとして計算されており、具体的には回転トルクを０から上記の理論値まで徐々に立ち上げるためのものである。このような上昇区間Ｔ4を設定することにより、サーボモータ３２や横シーラ２０の駆動機構に与えられる衝撃が緩和される。すなわち、上述の制御切換タイミングＴｃから直ちに大きな回転トルクをサーボモータ３２に作用させた場合、その衝撃は過大なものとなるが、本制御では上昇区間Ｔ4を設けて徐々に回転トルクを立ち上げるものとしている。
【００３５】
また制御タイミングが上昇区間Ｔ4にあるとき（ステップＳ７＝Ｙｅｓ）、制御装置３８は回転トルクの理論値を計算する（ステップＳ８）。回転トルクの理論値は、その目標値を包材筒Ｗに与えるシール圧とすると、図２に示されるようにレバー軸３０の中心と横シーラ２０の中心とを結ぶ線と揺動レバー２８の軸線とがなす角度θから力学的に求められる。
【００３６】
図６および図７に示されるように、本制御プログラムにおいてはシール期間Ｔ2中に適正シール圧（Ｇ）の目標値を２段階に変化させている。具体的には、先の第１段階目を検出用シール圧Ｐｉとし、後の第２段階目を溶着用シール圧Ｐｍとしており、これら検出用シール圧と溶着用シール圧とで、適正シール圧に強弱が設けられている。
【００３７】
制御装置３８は、予め設定された適正シール圧（Ｇ）のパターンに基づいて回転トルクの理論値を計算し、この求めた理論値に基づき、サーボアンプ３６に回転トルク指令値を出力する（ステップＳ１１）。この結果、シール期間Ｔ2においてサーボモータ３２の動作は横シーラ２０に目標とする適正シール圧（Ｇ）を与えるべく制御される。なお、トルク制御を行う場合、上昇区間Ｔ4では回転速度制限値が合わせて出力される（ステップＳ１２）。すなわち、サーボモータ３２制御が速度制御から回転トルク制御に切り換わった後、特に横シーラ２０が閉位置に到達するまでの間にサーボモータ３２の回転速度が急激に上昇することがある。このような回転速度の急上昇を回避するため、本制御では速度制限制御を実行するものとしている。回転速度制限値は例えば、図６および図７中、回転速度モデル（Ｂ）に対応する値に設定される。
【００３８】
上昇区間Ｔ4が過ぎると（ステップＳ７＝Ｎｏ）、制御装置３８は横シーラ２０の位置を検出し（ステップＳ９）、次に噛み込み検出ルーチンＲ１を実行する。この噛み込み検出ルーチンＲ１および後述の噛み込み検出ルーチンＲ２は、横シーラ２０の閉動作時に被包装品が噛み込まれているか否かを検出するために実行される。
【００３９】
図４に示されるように、噛み込み検出ルーチンＲ１では検出方法が１または２のいずれに設定されているかが判断される（ステップＳ１０１）。なお、検出方法１，２の設定は、縦型製袋充填機の運転開始前に行われる。先ず検出方法１は、所定の判断タイミングが到来したとき（ステップＳ１０２＝Ｙｅｓ）、横シーラ２０の動作位置に関する理論値とその現在位置との比較により噛み込みの有無を判断するものである（ステップＳ１０３，Ｓ１０４）。
【００４０】
一方、検出方法２は、先ず横シーラ２０の現在位置情報の累積値を計算し（ステップＳ１０６）、そして図５に示されるように、シール期間Ｔ2から開動作期間Ｔ3への切換タイミングが到来したとき（ステップＳ２０１）、累積値と累積理論値との比較により噛み込みの有無を判断するものである（ステップＳ２０２，Ｓ２０３）。
【００４１】
噛み込み検出ルーチンＲ１から復帰すると、制御装置３８は横シーラ２０の動作区間がタイミングＴ5にあるかを判断し（ステップＳ１０７）、その結果、タイミングＴ5にあれば検出用シール圧Ｐｉによりサーボモータ３２の回転トルク制御を行う（ステップＳ１０８）。
この後、横シーラ２０の動作区間がタイミングＴ5でなくなれば（ステップＳ１０７＝Ｎｏ）、制御装置３８は溶着用シール圧Ｐｍによりサーボモータ３２の回転トルク制御を行う（ステップＳ１０９）。
【００４２】
なお、全シール期間Ｔ2においてトルク制御が実行されている間、制御装置３８は実回転トルクの計算を行う（ステップＳ１０）。
以下に、具体的な実施例を挙げて噛み込み検出装置の作動を詳しく説明する。また以下の説明により、噛み込み検出装置を用いた検出方法の内容についても明らかとなる。
【００４３】
図１の製袋充填機を用いて、袋幅１００ｍｍ、袋長２００ｍｍの包装袋を生産する。フィルム包材には、厚さ９０μｍ、幅２２５ｍｍの蒸着アルミフィルムを使用する。１包装サイクルＴの包材繰り出し長さは２００ｍｍで、生産速度は毎分６０袋とする。また、横シール時間は１８０ｎｓｅｃとする。
図８および図９は、シール期間Ｔ2の近傍における横シーラ位置の時間的な変化を示している。これら図中、横シーラ位置は縦軸の上方が開位置であり、下方が閉位置である。なお横シーラ位置は、制御装置３８に入力された帰還パルスの形式で表されている。またこれら図中、実線で示される変化は夾雑物（噛み込み）がある場合を示し、これに対し１点鎖線で示される変化は夾雑物がない場合を示している。
【００４４】
夾雑物の破砕強度が比較的高い場合（例えば微少量のコーヒー粉）、図６に示されるようにシール期間Ｔ2の最初に強いシール圧を与え、その後で弱いシール圧を与える態様が好ましい。この場合、横シーラ２０の位置変化は図８に示される傾向を示す。
図８に示されるように、先ず速度制御により横シーラ２０が閉動作され、横シーラ２０が閉位置に最も近い位置まで到達する。この後、一対のヒータブロック２２が互いに反発して横シーラ２０が開位置の方向に跳ね返っている。
【００４５】
次にトルク制御が実行されて第１段階目の検出用シール圧Ｐｉが与えられると、横シーラ２０は閉位置に近づいて安定している。このように、検出用シール圧Ｐｉが与えられている期間を以下、検出封止期間と称する。
図１０は、夾雑物Ｋの有無の違いによる横シール領域の変化を連続的に示している。夾雑物Ｋが有る場合の変化（ａ）〜（ｄ）と無い場合の変化（ｅ）〜（ｈ）とは、それぞれタイミング的に対応関係にある。
【００４６】
夾雑物Ｋが有る場合、図１０中（ｃ）に示されるように検出封止期間に強い検出用シール圧Ｐｉが与えられても、夾雑物Ｋはシーラント層Ｓに埋もれることなくシーラント層Ｓを介して基材層Ｍを外側に押し広げている。夾雑物Ｋが無い場合で同じタイミング（ｇ）の両基材層Ｍの厚みＷｓと比較すると、夾雑物Ｋが有る場合はその分だけ厚みＷａが大きい（Ｗａ＞Ｗｓ）。このため夾雑物Ｋが有る場合と無い場合とを比較すると、夾雑物Ｋが有る場合の方が横シーラ２０の位置が開位置により近いものとなる。
【００４７】
次に図１５との比較において、夾雑物Ｋがシーラント層Ｓに埋もれない理由について説明する。図１５は、従来のようにシール圧Ｐを常に一定に制御した場合の横シール領域の変化を連続的に示している。なお、図１５中（ａ）〜（ｄ）の変化は、図１０中（ａ）〜（ｄ）の変化とタイミング的に対応関係にある。
シール圧Ｐを一定に制御すると、夾雑物Ｋは横シーラ２０の閉動作初期において早々にシーラント層Ｓに埋もれ（図１５中（ｃ））、その存在により基材層Ｍを押し広げることはない。このため両基材層Ｍの厚みＷａは夾雑物Ｋが無い場合の厚みＷｓにほぼ近くなり（Ｗａ≒Ｗｓ）、これらの差は検出されにくいものとなる。
【００４８】
また、図１０中（ｃ）に示されるように検出封止期間に強い検出用シール圧Ｐｉが与えられると、二つのシーラント層Ｓが互いに強く圧着されてこれらの層厚はＸ１に圧縮される。
これに対しシール圧Ｐを一定に制御すると（図１５中（ｃ））、二つのシーラント層Ｓに与えられる圧着力は図１０（ｃ）の場合よりも弱く、その層厚はＸ２となる。このとき、シーラント層Ｓはまだ溶けておらず、層厚はシール圧Ｐｉ，Ｐの大きさに依存する。したがって、層厚Ｘ１よりも層厚Ｘ２の方が厚くなる（Ｘ１＜Ｘ２）。
【００４９】
この後、引き続き一定のシール圧Ｐを与えると、シーラント層Ｓが溶融する際に夾雑物Ｋに押し出され、溶けたシーラント材が夾雑物Ｋと基材層Ｍとの間から周囲に移動しやすい（図１５中（ｄ））。この結果、夾雑物Ｋは溶融後のシーラント層Ｓに埋もれ、基材層Ｍの外面は平坦となる。
これに対し、シーラント層Ｓが溶融する前に検出用シール圧Ｐｉを与えると、シーラント層Ｓが圧縮され（Ｘ１）、その後シーラント層Ｓが溶融し始めるが、シーラント層Ｓは層厚がＸ２の場合と異なり、夾雑物Ｋの無い方へ移動しない。すなわちシーラント層Ｓが夾雑物Ｋと基材層Ｍとの間にとどまったままとなる。このため、シーラント層Ｓは溶融後においても夾雑物Ｋと基材層Ｍとの間にとどまり、その存在により基材層Ｍの外面を膨らませる。
【００５０】
そこで、ステップＳ１０２の判断タイミングを例えば検出封止期間の終期とすると、この時点で横シーラ２０の位置に関する理論値（夾雑物Ｋ無し）と現在位置とを比較した結果、現在位置の方がより開位置に近いものであれば、ステップＳ１０４において異常（噛み込み有り）と判断することができる。
また、ステップＳ１０２の判断タイミングを例えば溶着封止期間の終期としても、この時点で横シーラ２０の位置に関する理論値（夾雑物Ｋ無し）と現在位置とを比較した結果、現在位置の方がより開位置に近いものであれば、ステップＳ１０４において異常（噛み込み有り）と判断することができる。
【００５１】
したがって、検出用シール圧Ｐｉを強く設定した場合、検出封止期間および溶着封止期間の両方で噛み込みの検出が可能となる。
この後、検出封止期間が過ぎると、図６に示されるようにトルク制御においてトルク指令値が変化し、横シーラ２０から包材筒Ｗに与えられる適正シール圧（Ｇ）は第２段階目の溶着用シール圧Ｐｍとなる。このように溶着用シール圧Ｐｍが与えられている期間を以下、溶着封止期間と称する。溶着用シール圧Ｐｍは検出用シール圧Ｐｉよりも弱く、それゆえ溶着封止期間内にシーラント層Ｓは過溶着することなく好適に横シールされる（図１０中（ｄ）（ｈ））。これにより、夾雑物Ｋが無い場合の横シール性も充分に確保される。
【００５２】
一方、夾雑物の破砕強度が比較的低い場合（例えば粉粒体）、図７に示されるようにシール期間Ｔ2の最初に弱い適正シール圧を与え、その後で強いシール圧を与える態様が好ましい。この場合、横シーラ２０の位置変化は図９に示される傾向を示す。
図９に示されるように、先ず速度制御により横シーラ２０が閉動作され、横シーラ２０が一旦閉位置に近づく。この後、一対のヒータブロック２２が互いに反発しあい、横シーラ２０が開位置の方向に跳ね返るところは図８の場合と同様である。
【００５３】
ここで、トルク制御が実行されて第１段階目の検出用シール圧Ｐｉが与えられると、検出封止期間内に横シーラ２０が僅かに閉位置に近づいて安定する。
図１１は、破砕強度が比較的低い場合の夾雑物Ｋについて、その有無の違いによる横シール領域の変化を連続的に示している。
夾雑物Ｋが有っても、最初のシール圧によって夾雑物Ｋが押しつぶされてしまうと、この後その有無を検出することは難しい。したがって、第１段階目の検出用シール圧Ｐｉを弱めに設定し、夾雑物Ｋの破砕を防止する。
【００５４】
このような夾雑物Ｋが有る場合、図１１中（ｃ）に示されるように検出封止期間に弱い検出用シール圧Ｐｉが与えられるため、夾雑物Ｋは押しつぶされることはない。さらにこのとき、横シーラ２０は夾雑物Ｋを挟み込んだ位置で安定している。夾雑物Ｋが無い場合で同じタイミング（ｇ）の両基材層Ｍの厚みＷｓと比較すると、夾雑物Ｋが有る場合はその分だけ厚みＷａが大きい（Ｗａ＞Ｗｓ）。このため夾雑物Ｋが有る場合と無い場合とを比較すると、上述した場合と同様に夾雑物Ｋが有る場合の方が横シーラ２０の位置が開位置により近いものとなる。
【００５５】
そこで図８の場合と同様に、ステップＳ１０２の判断タイミングを例えば検出封止期間の終期とすると、この時点で横シーラ２０の位置に関する理論値（夾雑物Ｋ無し）と現在位置とを比較した結果、現在位置の方がより開位置に近いものであれば、ステップＳ１０４において異常（噛み込み有り）と判断することができる。
【００５６】
この後、検出封止期間が過ぎると、図７に示されるようにトルク制御においてトルク指令値が変化し、横シーラ２０から包材筒Ｗに与えられる適正シール圧（Ｇ）は第２段階目の溶着用シール圧Ｐｍとなる。溶着用シール圧Ｐｍは検出用シール圧Ｐｉよりも強く、それゆえ溶着封止期間内にシーラント層Ｓは充分に溶着される（図１０中（ｄ）（ｈ））。これにより、夾雑物Ｋが無い場合の横シール性も充分に確保される。
【００５７】
以上は検出方法１の実施例である。次に検出方法２の実施例を説明する。
上述の検出方法１では、横シーラ２０の位置変化に関して図８と図９とを比較すると、夾雑物Ｋの破砕強度が比較的弱い場合はその有無による違いが顕著に現れにくいといえる。このため夾雑物Ｋの物性により、ステップＳ１０２において現在位置と理論値との明確な比較が困難となり、ステップＳ１０４にて異常であるか否かの判定ができない場合がある。
【００５８】
この場合、検出方法２による判断が可能となる。上述のように検出方法２ではシール期間Ｔ2から開動作期間Ｔ3への切換タイミングＴｒが到来したとき、検出封止の開始時点（Ｔ4とＴ5の間）からこの切換タイミングＴｒまでの期間の帰還パルス累積値と累積理論値との比較により噛み込みの有無を判断する。
具体的には、夾雑物Ｋが有る場合と無い場合とで帰還パルス累積値を比較した場合、個々のスキャンタイム（制御インターバル）における両者間の現在位置の僅かな差が積算して反映されるため、夾雑物Ｋが無い場合よりも有る場合の方が現在位置累積値は大きいものとなる。
【００５９】
そこで、ステップＳ２０１において切換タイミングＴｒ（Ｔ2→Ｔ3）が到来すると、この時点で横シーラ２０の位置に関する累積理論値（夾雑物Ｋ無し）と現在位置累積値とを比較した結果、現在位置累積値の方がより大きいものであれば、ステップＳ２０３において異常（噛み込み有り）と判断することができる。
図１２は、検出方法２について現在位置累積値の計測を行った実施例１〜５の結果を示している。一方、図１３はシール圧を一定に制御して現在位置累積値の計測を行った比較例１〜５の結果を示している。
【００６０】
これら図１２および図１３中、１〜５の番号は各実施例または各比較例に対応し、それぞれ左半分の５つのサンプルが夾雑物無しの場合の結果であり、右半分の５つのサンプルが夾雑物有りの場合の結果である。
実施例１〜５の結果から明らかなように、夾雑物の有無によって現在位置累積値に顕著な大小差が認められる（図１２参照）。
【００６１】
一方、比較例１〜５では夾雑物の有無によって現在位置累積値に明確な大小差が認められない（図１３参照）。したがってシール期間Ｔ2においてシール圧を一定に制御すると、横シーラ２０の位置情報に基づいて夾雑物の有無を検出することは難しいといえる。比較例の結果については、さらに以下の説明が加えられる。
【００６２】
図１４は、比較例に関する横シーラ位置の時間的な変化を示している。図１４中、実線で示される変化は夾雑物が有る場合であり、１点鎖線で示される変化は夾雑物が無い場合を示している。
比較例においても横シーラ２０が閉位置に近づき、この後、一対のヒータブロック２２が互いに反発しあって横シーラ２０は僅かに開位置に戻っている。
【００６３】
次にシール期間に移行して包材筒Ｗに一定のシール圧が与えられると、夾雑物の有無にかかわらず横シーラ２０の現在位置はほぼ同様の傾向を示している。
図１５および図１６を追加してこの点をさらに詳しく検証する。比較例のようにシール圧Ｐを一定に制御すると、夾雑物Ｋの破砕強度が比較的高い場合、横シール領域の変化は図１５に示されるものとなる。すなわち、夾雑物Ｋは横シーラ２０の閉動作初期において早々にシーラント層Ｓに埋もれ（図１５中（ｃ））、その存在により基材層Ｍを押し広げることはない。このため両基材層Ｍの厚みＷａは夾雑物Ｋが無い場合の厚みＷｓにほぼ近くなり（Ｗａ≒Ｗｓ）、これらの差は検出されにくいものとなる。
【００６４】
一方、夾雑物Ｋの破砕強度が比較的低い場合、横シール領域の変化は図１６に示されるものとなる。この場合、夾雑物Ｋは横シーラ２０の閉動作初期において容易に破砕してしまう（図１６中（ｃ））。このため同様に、両基材層Ｍの厚みＷａは夾雑物Ｋが無い場合の厚みＷｓにほぼ近くなり（Ｗａ≒Ｗｓ）、これらの差はほとんど検出されない。
【００６５】
これに対し、各実施例の検出方法１および２を用いた場合、検出封止期間において夾雑物Ｋがシーラント層Ｓに埋もれたり、破砕されたりすることがないので僅かな夾雑物Ｋであっても確実に噛み込みを検出することができる。
本発明は上述の実施形態およびこれを用いた各実施例のみに制約されず、各種の変形を伴うことが可能である。
【００６６】
図１７および図１８は、シール期間Ｔ2におけるシール圧の変化パターンの例を示している。図１７の例は破砕強度が比較的高い夾雑物の場合に好適であり、図１８の例は破砕強度が比較的低い場合に好適である。図１７および図１８中（ａ），（ｂ）に示されるように、各例において検出用シール圧Ｐｉの立ち上がりをランプ状または曲線状にしたり、図１７および図１８中（ｃ）に示されるように、各例において検出用シール圧Ｐｉから溶着用シール圧Ｐｍへの切り替わりをランプ状にしたりすることもできる。
【００６７】
その他、一実施形態として図示した機構上の構成や制御装置のハードウェア構成等はあくまで好ましい例であり、本発明を実施するべき態様に合わせて適宜変形が加えられることは言うまでもない。
【００６８】
【発明の効果】
本発明の噛み込み検出装置および噛み込み検出方法（請求項１〜３，６）によれば、微少な夾雑物の噛み込みであってもこれを確実に検出することができる。このため噛み込みを生じた包装袋を確実に排除することができ、包装品の品質向上に寄与することができる。
【００６９】
即ち、検出用シール圧の強弱によって被包装品の破砕や包材への埋没等を抑えることができるので、被包装品の物性に応じた適切な検出を行うことができるし、被包装品の破砕強度に合わせてシール圧の強弱を設定することで、より合理的な検出が可能となる。
また横シーラの駆動をサーボモータにより行い、また、その位置情報をエンコーダからの帰還パルスにより検出するものであれば（請求項４，５）、より実用性に優れたものとなる。
【図面の簡単な説明】
【図１】製袋充填機を概略的に示した斜視図である。
【図２】横シーラの駆動機構およびその制御装置の構成を示した概略図である。
【図３】横シーラの開閉作動を制御するための手順を示したフローチャートである。
【図４】検出方法１による噛み込み検出ルーチンのフローチャートである。
【図５】検出方法２による噛み込み検出ルーチンのフローチャートである。
【図６】包装サイクル中の各種変数の変化を示したタイミング図である。
【図７】包装サイクル中の各種変数の変化を示したタイミング図である。
【図８】シール期間における横シーラ位置の時間的変化を示した図である。
【図９】シール期間における横シーラ位置の時間的変化を示した図である。
【図１０】横シール領域の変化を夾雑物の有無の違いにより対比して示した連続図である。
【図１１】横シール領域の変化を夾雑物の有無の違いにより対比して示した連続図である。
【図１２】検出方法２について行った各実施例の結果を示した棒グラフである。
【図１３】図１２の各実施例と対比される比較例の結果を示した棒グラフである。
【図１４】シール圧を一定に制御した場合の横シーラ位置の変化を示した図である。
【図１５】シール圧を一定に制御した場合の横シール領域の変化を示した連続図である。
【図１６】シール圧を一定に制御した場合の横シール領域の変化を示した連続図である。
【図１７】シール圧の変化パターンについての各種変形例を示した図である。
【図１８】シール圧の変化パターンについての各種変形例を示した図である。
【符号の説明】
２  充填チューブ
１０  フィードローラ
１６  縦シーラ
２０  横シーラ
３２  サーボモータ
３４  ロータリエンコーダ（位置検出手段）
３６  サーボアンプ
３８  制御装置（噛み込み検出手段）
【図１】
0003940600.tif 000002
【図２】
0003940600.tif 000003
【図３】
0003940600.tif 000004
【図４】
0003940600.tif 000005
【図５】
0003940600.tif 000006
【図６】
0003940600.tif 000007
【図７】
0003940600.tif 000008
【図８】
0003940600.tif 000009
【図９】
0003940600.tif 000010
【図１０】
0003940600.tif 000011
【図１１】
0003940600.tif 000012
【図１２】
0003940600.tif 000013
【図１３】
0003940600.tif 000014
【図１４】
0003940600.tif 000015
【図１５】
0003940600.tif 000016
【図１６】
0003940600.tif 000017
【図１７】
0003940600.tif 000018
【図１８】
0003940600.tif 000019